(57)【要約】【課題】デジタルチューナを内蔵したテレビで実際に視聴しているチャンネルを精度良く検出する。【解決手段】テレビ１に接続された端末装置２は、テレビ１から出力されるデジタル音声信号から生成したデータバーストのプリアンブルを解析して音声信号形式の切り替わりを検出し、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成し、センタ装置４へ送信する。センタ装置４は、端末装置２から受信した視聴ブロックデータに含まれる比較用特徴データと、基準データ蓄積部４３に蓄積された各チャンネル毎の基準データに含まれる基準特徴データとを比較して、視聴ブロック単位で視聴チャンネルを判定する。【選択図】図１
2008085767.tif 000002
【特許請求の範囲】
【請求項１】
少なくとも１つの内蔵デジタルチューナを備え、前記内蔵デジタルチューナで選局されたチャンネルの映像および音声信号をディスプレイおよびスピーカから出力することができると共に、前記選局されたチャンネルのデジタル音声信号を出力するデジタル音声出力端子を備えたテレビジョン受像機で実際に視聴されているチャンネルを判定する視聴チャンネル判定方法において、
ａ）前記テレビジョン受像機に接続された端末装置が、前記テレビジョン受像機のデジタル音声出力端子から出力されるデジタル音声信号から生成したデータバーストのプリアンブルを解析して音声信号形式の切り替わりを検出し、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成するステップと、
ｂ）前記端末装置が、前記生成された視聴ブロックデータをセンタ装置へ送信するステップと、
ｃ）前記センタ装置が、前記端末装置から視聴ブロックデータを受信して比較データ蓄積部に蓄積するステップと、
ｄ）前記センタ装置が、前記比較データ蓄積部に蓄積された視聴ブロックデータ毎に、当該視聴ブロックデータに含まれる比較用特徴データと、視聴判定するチャンネル毎にそのデジタル音声信号から生成した各データバーストから抽出した基準特徴データと当該データバーストの時刻データとを含む基準データにおける前記基準特徴データとを比較して視聴チャンネルを判定するステップとを含むことを特徴とする視聴チャンネル判定方法。
【請求項２】
前記ステップａにおいては、データバーストの予め定められた一部の箇所から比較用特徴データを抽出することを特徴とする請求項１記載の視聴チャンネル判定方法。
【請求項３】
前記ステップａにおいては、視聴区間内の一部のデータバーストのみから比較用特徴データを抽出することを特徴とする請求項２記載の視聴チャンネル判定方法。
【請求項４】
前記ステップａにおいては、視聴区間の開始から所定個数までは全データバーストから比較用特徴データを抽出することを特徴とする請求項３記載の視聴チャンネル判定方法。
【請求項５】
前記ステップａにおいては、視聴区間の開始から前記所定個数以降のデータバーストについては一部のデータバーストからのみ比較用特徴データを抽出することを特徴とする請求項４記載の視聴チャンネル判定方法。
【請求項６】
前記ステップｄにおいては、視聴ブロックデータに含まれる視聴区間の開始から前記所定個数分の比較用特徴データに一致する基準特徴データを持つチャンネルの基準データを検索し、該検索に成功した場合に残りの比較用特徴データが当該チャンネルの基準データに一致するか否かを確認することを特徴とする請求項５記載の視聴チャンネル判定方法。
【請求項７】
前記ステップｄにおいては、前記視聴ブロックデータに含まれる時刻データと同時刻近傍の基準データの基準特徴データと前記視聴ブロックデータ中の比較用特徴データとを比較するリアルタイム視聴判定を行うことを特徴とする請求項１記載の視聴チャンネル判定方法。
【請求項８】
前記ステップｄにおいては、前記視聴ブロックデータに含まれる時刻データと同時刻近傍より過去の基準データの基準特徴データと前記視聴ブロックデータ中の比較用特徴データとを比較するタイムシフト視聴判定を行うことを特徴とする請求項１記載の視聴チャンネル判定方法。
【請求項９】
少なくとも１つの内蔵デジタルチューナを備え、前記内蔵デジタルチューナで選局されたチャンネルの映像および音声信号をディスプレイおよびスピーカから出力することができると共に、前記選局されたチャンネルのデジタル音声信号を出力するデジタル音声出力端子を備えたテレビジョン受像機で実際に視聴されているチャンネルを判定する視聴チャンネル判定システムにおいて、
前記テレビジョン受像機に接続された端末装置と、
前記端末装置と通信可能なセンタ装置とで構成され、
前記端末装置は、
前記テレビジョン受像機のデジタル音声出力端子から出力されるデジタル音声信号から生成したデータバーストのプリアンブルを解析して音声信号形式の切り替わりを検出し、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成する視聴ブロックデータ生成部と、
前記生成された視聴ブロックデータを記憶する記憶部と、
前記記憶部に記憶された視聴ブロックデータを前記センタ装置へ送信する通信部とを備え、
前記センタ装置は、
前記端末装置から視聴ブロックデータを受信して蓄積する比較データ蓄積部と、
視聴判定するチャンネル毎に、当該チャンネルのデジタル音声信号から生成したデータバーストから抽出した基準特徴データと当該データバーストの時刻データとを含む基準データを蓄積する基準データ蓄積部と、
前記比較データ蓄積部に蓄積された視聴ブロックデータ毎に、当該視聴ブロックデータに含まれる比較用特徴データと、前記基準データ蓄積部に記憶された各チャンネル毎の基準データに含まれる基準特徴データとを比較して視聴チャンネルを判定する判定部とを備えることを特徴とする視聴チャンネル判定システム。
【請求項１０】
前記視聴ブロックデータ生成部は、データバーストの予め定められた一部の箇所から比較用特徴データを抽出することを特徴とする請求項９記載の視聴チャンネル判定システム。
【請求項１１】
前記視聴ブロックデータ生成部は、視聴区間内の一部のデータバーストのみから比較用特徴データを抽出することを特徴とする請求項１０記載の視聴チャンネル判定システム。
【請求項１２】
前記視聴ブロックデータ生成部は、視聴区間の開始から所定個数までは全データバーストから比較用特徴データを抽出することを特徴とする請求項１１記載の視聴チャンネル判定システム。
【請求項１３】
前記視聴ブロックデータ生成部は、視聴区間の開始から前記所定個数以降のデータバーストについては一部のデータバーストからのみ比較用特徴データを抽出することを特徴とする請求項１２記載の視聴チャンネル判定システム。
【請求項１４】
前記判定部においては、視聴ブロックデータに含まれる視聴区間の開始から前記所定個数分の比較用特徴データに一致する基準特徴データを持つチャンネルの基準データを検索し、該検索に成功した場合に残りの比較用特徴データが当該チャンネルの基準データに一致するか否かを確認することを特徴とする請求項１３記載の視聴チャンネル判定システム。
【請求項１５】
前記判定部は、前記視聴ブロックデータに含まれる時刻データと同時刻近傍の基準データの基準特徴データと前記視聴ブロックデータ中の比較用特徴データとを比較するリアルタイム視聴判定を行うことを特徴とする請求項９記載の視聴チャンネル判定システム。
【請求項１６】
前記判定部は、前記視聴ブロックデータに含まれる時刻データと同時刻近傍より過去の基準データの基準特徴データと前記視聴ブロックデータ中の比較用特徴データとを比較するタイムシフト視聴判定を行うことを特徴とする請求項９記載の視聴チャンネル判定システム。
【請求項１７】
テレビジョン受像機のデジタル音声出力端子から出力されるデジタル音声信号から生成したデータバーストのプリアンブルを解析して音声信号形式の切り替わりを検出し、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成する視聴ブロックデータ生成部と、
前記生成された視聴ブロックデータを記憶する記憶部と、
前記記憶部に記憶された視聴ブロックデータをセンタ装置へ送信する通信部とを備える端末装置。
【請求項１８】
前記視聴ブロックデータ生成部は、データバーストの予め定められた一部の箇所から比較用特徴データを抽出することを特徴とする請求項１７記載の端末装置。
【請求項１９】
前記視聴ブロックデータ生成部は、視聴区間内の一部のデータバーストのみから比較用特徴データを抽出することを特徴とする請求項１８記載の端末装置。
【請求項２０】
前記視聴ブロックデータ生成部は、視聴区間の開始から所定個数までは全データバーストから比較用特徴データを抽出することを特徴とする請求項１９記載の端末装置。
【請求項２１】
前記視聴ブロックデータ生成部は、視聴区間の開始から前記所定個数以降のデータバーストについては一部のデータバーストからのみ比較用特徴データを抽出することを特徴とする請求項２０記載の端末装置。
【請求項２２】
テレビジョン受像機の同一の視聴チャンネルの視聴開始から終了までの視聴区間内に前記テレビジョン受像機のデジタル音声信号から生成されたデータバーストから抽出した比較用特徴データと当該視聴区間の時刻データとを含む視聴ブロックデータを端末装置から受信して蓄積する比較データ蓄積部と、
視聴判定するチャンネル毎に、当該チャンネルのデジタル音声信号から生成したデータバーストから抽出した基準特徴データと当該データバーストの時刻データとを含む基準データを蓄積する基準データ蓄積部と、
前記比較データ蓄積部に蓄積された視聴ブロックデータ毎に、当該視聴ブロックデータに含まれる比較用特徴データと、前記基準データ蓄積部に記憶された各チャンネル毎の基準データに含まれる基準特徴データとを比較して視聴チャンネルを判定する判定部とを備えることを特徴とするセンタ装置。
【請求項２３】
前記判定部は、前記視聴ブロックデータに含まれる時刻データと同時刻近傍の基準データの基準特徴データと前記視聴ブロックデータ中の比較用特徴データとを比較するリアルタイム視聴判定を行うことを特徴とする請求項２２記載のセンタ装置。
【請求項２４】
前記判定部は、前記視聴ブロックデータに含まれる時刻データと同時刻近傍より過去の基準データの基準特徴データと前記視聴ブロックデータ中の比較用特徴データとを比較するタイムシフト視聴判定を行うことを特徴とする請求項２２記載のセンタ装置。
【請求項２５】
視聴判定するチャンネルに対応して設けられ、対応するチャンネルを選局するデジタルチューナから出力されるデジタル音声信号を復号して生成した各データバーストから抽出した基準特徴データと当該データバーストの時刻データとを含む基準データを生成し、前記基準データ蓄積部に送信する基準データ作成部を備えることを特徴とする請求項２２記載のセンタ装置。
【発明の詳細な説明】
【技術分野】
【０００１】
本発明はテレビジョン受像機で実際に視聴しているチャンネルを判定する視聴チャンネル判定方法及びシステムに関する。
【背景技術】
【０００２】
テレビ視聴率を調査するために、調査対象となる視聴者宅に設置されたテレビジョン受像機（以下、単にテレビと称す）で実際に視聴しているチャンネルを検出する方式には、ローカルマッチング方式とセンタマッチング方式の２通りの方式がある。ローカルマッチング方式は、視聴チャンネルを判定するための各種データの収集から視聴チャンネルの判定までの一切の処理を視聴者宅に設置した測定機器で実施する方式である。これに対して、センタマッチング方式は、視聴者宅に設置した測定機器で収集された各種データをセンタ装置に送信し、センタ装置側で判定処理を行う方式である。
【０００３】
ローカルマッチング方式による視聴チャンネル判定システムの従来例が特許文献１に記載されている。特許文献１に記載されたシステム（以下、第１の従来技術）では、視聴者宅に設置された測定機器が、テレビに内蔵されているデジタルチューナと同じ種類の基準チューナから出力されるデジタル音声信号を、例えばＭＰＥＧ２−ＡＣＣデコーダによりアナログ音声信号にデコードし、このデコードしたアナログ音声信号の周波数スペクトルとテレビのスピーカから出力されている音声信号の周波数スペクトルとを比較することで、視聴チャンネルを判定し、判定結果をセンタ装置に送信する。
【０００４】
他方、センタマッチング方式による視聴チャンネル判定システムの従来例が特許文献２に記載されている。特許文献２に記載されたシステム（以下、第２の従来技術）では、視聴者宅に設置した測定機器において、テレビが同調されたこと及びテレビのチャンネルが変更されたことを音声の突然の変化を用いて検出し、チャンネル変更直後の番組シグネチャ（マイクロフォンで検知したテレビ音声やビデオカメラで撮影したテレビ画面など）および時刻データを抽出して蓄積する。その後、蓄積データはセンタ装置に送られ、センタ装置は、受信した番組シグネチャとセンタ装置側に用意された基準シグネチャとを比較し、視聴チャンネルを判定する。
【０００５】
センタマッチング方式による視聴チャンネル判定システムの他の従来例が特許文献３に記載されている。特許文献３に記載されたシステム（以下、第３の従来技術）では、視聴者宅に設置した測定機器が、テレビのリモコン信号を傍受したときに、傍受したリモコン信号および特許文献２と同様な番組シグネチャならびに時刻データを抽出して蓄積する。その後、蓄積データはセンタ装置に送られ、センタ装置は、受信したリモコン信号を解読して視聴チャンネルを判定するとともに、受信した番組シグネチャをセンタ装置側に用意された基準シグネチャと比較することでも視聴チャンネルを判定する。
【０００６】
【特許文献１】特許第３６６９９６５号公報
【特許文献２】特表平９−５０３６３６号公報
【特許文献３】特開２００５−２８６３７２号公報
【発明の開示】
【発明が解決しようとする課題】
【０００７】
センタマッチング方式は、ローカルマッチング方式と比較して、視聴判定するチャンネルの追加や削除の変更に迅速に対応でき、また視聴者宅側の測定機器に基準チューナが不要になるなどの小型化が可能であるため、近年において特に注目されている。しかしながら、従来のセンタマッチング方式による視聴チャンネル判定システムには、以下のような課題がある。
【０００８】
第１の課題は、同一の視聴チャンネルの視聴開始から終了までの視聴区間を"視聴ブロック"と定義したときに、視聴者宅側の測定機器で視聴ブロックの正確な検出が困難なことである。その理由は、特許文献２ではテレビ音声の突然の変化を検出したときにテレビのチャンネルが変更されたものと判断しているが、チャンネル変更時にテレビ音声が突然変化するとは必ずしも言えず、逆に同じチャンネルを視聴中でもテレビ音声が突然変化することがあるためである。また、特許文献３ではテレビのリモコン信号を傍受したときにテレビのチャンネルが変更された可能性があるものとしているが、音量の変更などチャンネル変更以外でもリモコン信号が送信されることに加えて、テレビで受信されるリモコン信号が測定機器で確実に傍受できる保証はなく、逆に、テレビで受信に失敗したリモコン信号を測定機器が受信する場合があるためである。
【０００９】
このように視聴ブロックの正確な検出が困難であると、以下のような問題を招く。まず、テレビのチャンネルが実際に切り替えられたにも関わらず、それを検出できなかった場合、視聴チャンネルの検出漏れが生じ、判定精度が低下する。逆に、テレビのチャンネルが切り替えられていないにも関わらず、チャンネルの切り替えが生じたものと誤検出した場合、視聴者宅の測定機器からセンタ装置へ冗長なデータが送られる結果、センタ装置側の負荷が増大する。
【００１０】
第２の課題は、番組シグネチャとして放送音声を用いる場合、放送音声が無音に近い状態になっていると視聴チャンネルの判定が行えないことである。その理由は、第１乃至第３の従来技術では、アナログ音声信号どうしを比較して視聴チャンネルを判定しているが、無音に近い状態ではアナログ音声信号は全く現れないか、現れても雑音レベル程度のきわめて弱いレベルになるためである。
【００１１】
本発明はこのような事情に鑑みて提案されたものであり、その目的は、デジタルチューナを内蔵したテレビで実際に視聴しているチャンネルを精度良く検出できるようにすることにある。
【００１２】
本発明の別の目的は、視聴者宅側の測定機器で視聴ブロックの正確な検出を可能にすることにある。
【００１３】
本発明の他の目的は、無音に近い状態の放送チャンネルであっても正確に視聴チャンネルを判定することができるようにすることにある。
【課題を解決するための手段】
【００１４】
本発明の第１の視聴チャンネル判定方法は、少なくとも１つの内蔵デジタルチューナを備え、前記内蔵デジタルチューナで選局されたチャンネルの映像および音声信号をディスプレイおよびスピーカから出力することができると共に、前記選局されたチャンネルのデジタル音声信号を出力するデジタル音声出力端子を備えたテレビジョン受像機で実際に視聴されているチャンネルを判定する視聴チャンネル判定方法において、ａ）前記テレビジョン受像機に接続された端末装置が、前記テレビジョン受像機のデジタル音声出力端子から出力されるデジタル音声信号から生成したデータバーストのプリアンブルを解析して音声信号形式の切り替わりを検出し、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成するステップと、ｂ）前記端末装置が、前記生成された視聴ブロックデータをセンタ装置へ送信するステップと、ｃ）前記センタ装置が、前記端末装置から視聴ブロックデータを受信して比較データ蓄積部に蓄積するステップと、ｄ）前記センタ装置が、前記比較データ蓄積部に蓄積された視聴ブロックデータ毎に、当該視聴ブロックデータに含まれる比較用特徴データと、視聴判定するチャンネル毎にそのデジタル音声信号から生成した各データバーストから抽出した基準特徴データと当該データバーストの時刻データとを含む基準データにおける前記基準特徴データとを比較して視聴チャンネルを判定するステップとを含むことを特徴とする。
【００１５】
本発明の第２の視聴チャンネル判定方法は、第１の視聴チャンネル判定方法において、前記ステップａにおいては、データバーストの予め定められた一部の箇所から比較用特徴データを抽出することを特徴とする。
【００１６】
本発明の第３の視聴チャンネル判定方法は、第２の視聴チャンネル判定方法において、前記ステップａにおいては、視聴区間内の一部のデータバーストのみから比較用特徴データを抽出することを特徴とする。
【００１７】
本発明の第４の視聴チャンネル判定方法は、第３の視聴チャンネル判定方法において、前記ステップａにおいては、視聴区間の開始から所定個数までは全データバーストから比較用特徴データを抽出することを特徴とする。
【００１８】
本発明の第５の視聴チャンネル判定方法は、第４の視聴チャンネル判定方法において、前記ステップａにおいては、視聴区間の開始から前記所定個数以降のデータバーストについては一部のデータバーストからのみ比較用特徴データを抽出することを特徴とする。
【００１９】
本発明の第６の視聴チャンネル判定方法は、第５の視聴チャンネル判定方法において、前記ステップｄにおいては、視聴ブロックデータに含まれる視聴区間の開始から前記所定個数分の比較用特徴データに一致する基準特徴データを持つチャンネルの基準データを検索し、該検索に成功した場合に残りの比較用特徴データが当該チャンネルの基準データに一致するか否かを確認することを特徴とする。
【００２０】
本発明の第７の視聴チャンネル判定方法は、第１の視聴チャンネル判定方法において、前記ステップｄにおいては、前記視聴ブロックデータに含まれる時刻データと同時刻近傍の基準データの基準特徴データと前記視聴ブロックデータ中の比較用特徴データとを比較するリアルタイム視聴判定を行うことを特徴とする。
【００２１】
本発明の第８の視聴チャンネル判定方法は、第１の視聴チャンネル判定方法において、前記ステップｄにおいては、前記視聴ブロックデータに含まれる時刻データと同時刻近傍より過去の基準データの基準特徴データと前記視聴ブロックデータ中の比較用特徴データとを比較するタイムシフト視聴判定を行うことを特徴とする。
【００２２】
本発明の第１の視聴チャンネル判定システムは、少なくとも１つの内蔵デジタルチューナを備え、前記内蔵デジタルチューナで選局されたチャンネルの映像および音声信号をディスプレイおよびスピーカから出力することができると共に、前記選局されたチャンネルのデジタル音声信号を出力するデジタル音声出力端子を備えたテレビジョン受像機で実際に視聴されているチャンネルを判定する視聴チャンネル判定システムにおいて、前記テレビジョン受像機に接続された端末装置と、前記端末装置と通信可能なセンタ装置とで構成され、前記端末装置は、前記テレビジョン受像機のデジタル音声出力端子から出力されるデジタル音声信号から生成したデータバーストのプリアンブルを解析して音声信号形式の切り替わりを検出し、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成する視聴ブロックデータ生成部と、前記生成された視聴ブロックデータを記憶する記憶部と、前記記憶部に記憶された視聴ブロックデータを前記センタ装置へ送信する通信部とを備え、前記センタ装置は、前記端末装置から視聴ブロックデータを受信して蓄積する比較データ蓄積部と、視聴判定するチャンネル毎に、当該チャンネルのデジタル音声信号から生成したデータバーストから抽出した基準特徴データと当該データバーストの時刻データとを含む基準データを蓄積する基準データ蓄積部と、前記比較データ蓄積部に蓄積された視聴ブロックデータ毎に、当該視聴ブロックデータに含まれる比較用特徴データと、前記基準データ蓄積部に記憶された各チャンネル毎の基準データに含まれる基準特徴データとを比較して視聴チャンネルを判定する判定部とを備えることを特徴とする。
【００２３】
本発明の第２の視聴チャンネル判定システムは、第１の視聴チャンネル判定システムにおいて、前記視聴ブロックデータ生成部は、データバーストの予め定められた一部の箇所から比較用特徴データを抽出することを特徴とする。
【００２４】
本発明の第３の視聴チャンネル判定システムは、第２の視聴チャンネル判定システムにおいて、前記視聴ブロックデータ生成部は、視聴区間内の一部のデータバーストのみから比較用特徴データを抽出することを特徴とする。
【００２５】
本発明の第４の視聴チャンネル判定システムは、第３の視聴チャンネル判定システムにおいて、前記視聴ブロックデータ生成部は、視聴区間の開始から所定個数までは全データバーストから比較用特徴データを抽出することを特徴とする。
【００２６】
本発明の第５の視聴チャンネル判定システムは、第４の視聴チャンネル判定システムにおいて、前記視聴ブロックデータ生成部は、視聴区間の開始から前記所定個数以降のデータバーストについては一部のデータバーストからのみ比較用特徴データを抽出することを特徴とする。
【００２７】
本発明の第６の視聴チャンネル判定システムは、第５の視聴チャンネル判定システムにおいて、前記ステップｄにおいては、視聴ブロックデータに含まれる視聴区間の開始から前記所定個数分の比較用特徴データに一致する基準特徴データを持つチャンネルの基準データを検索し、該検索に成功した場合に残りの比較用特徴データが当該チャンネルの基準データに一致するか否かを確認することを特徴とする。
【００２８】
本発明の第７の視聴チャンネル判定システムは、第１の視聴チャンネル判定システムにおいて、前記判定部は、前記視聴ブロックデータに含まれる時刻データと同時刻近傍の基準データの基準特徴データと前記視聴ブロックデータ中の比較用特徴データとを比較するリアルタイム視聴判定を行うことを特徴とする。
【００２９】
本発明の第８の視聴チャンネル判定システムは、第１の視聴チャンネル判定システムにおいて、前記判定部は、前記視聴ブロックデータに含まれる時刻データと同時刻近傍より過去の基準データの基準特徴データと前記視聴ブロックデータ中の比較用特徴データとを比較するタイムシフト視聴判定を行うことを特徴とする。
【００３０】
本発明の第１の端末装置は、テレビジョン受像機のデジタル音声出力端子から出力されるデジタル音声信号から生成したデータバーストのプリアンブルを解析して音声信号形式の切り替わりを検出し、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成する視聴ブロックデータ生成部と、前記生成された視聴ブロックデータを記憶する記憶部と、前記記憶部に記憶された視聴ブロックデータをセンタ装置へ送信する通信部とを備えることを特徴とする。
【００３１】
本発明の第２の端末装置は、第１の端末装置において、前記視聴ブロックデータ生成部は、データバーストの予め定められた一部の箇所から比較用特徴データを抽出することを特徴とする。
【００３２】
本発明の第３の端末装置は、第２の端末装置において、前記視聴ブロックデータ生成部は、視聴区間内の一部のデータバーストのみから比較用特徴データを抽出することを特徴とする。
【００３３】
本発明の第４の端末装置は、第３の端末装置において、前記視聴ブロックデータ生成部は、視聴区間の開始から所定個数までは全データバーストから比較用特徴データを抽出することを特徴とする。
【００３４】
本発明の第５の端末装置は、第４の端末装置において、前記視聴ブロックデータ生成部は、視聴区間の開始から前記所定個数以降のデータバーストについては一部のデータバーストからのみ比較用特徴データを抽出することを特徴とする。
【００３５】
本発明の第１のセンタ装置は、テレビジョン受像機の同一の視聴チャンネルの視聴開始から終了までの視聴区間内に前記テレビジョン受像機のデジタル音声信号から生成されたデータバーストから抽出した比較用特徴データと当該視聴区間の時刻データとを含む視聴ブロックデータを端末装置から受信して蓄積する比較データ蓄積部と、視聴判定するチャンネル毎に、当該チャンネルのデジタル音声信号から生成したデータバーストから抽出した基準特徴データと当該データバーストの時刻データとを含む基準データを蓄積する基準データ蓄積部と、前記比較データ蓄積部に蓄積された視聴ブロックデータ毎に、当該視聴ブロックデータに含まれる比較用特徴データと、前記基準データ蓄積部に記憶された各チャンネル毎の基準データに含まれる基準特徴データとを比較して視聴チャンネルを判定する判定部とを備えることを特徴とする。
【００３６】
本発明の第２のセンタ装置は、第１のセンタ装置において、前記判定部は、前記視聴ブロックデータに含まれる時刻データと同時刻近傍の基準データの基準特徴データと前記視聴ブロックデータ中の比較用特徴データとを比較するリアルタイム視聴判定を行うことを特徴とする。
【００３７】
本発明の第３のセンタ装置は、第１のセンタ装置において、前記判定部は、前記視聴ブロックデータに含まれる時刻データと同時刻近傍より過去の基準データの基準特徴データと前記視聴ブロックデータ中の比較用特徴データとを比較するタイムシフト視聴判定を行うことを特徴とする。
【００３８】
本発明の第４のセンタ装置は、第１のセンタ装置において、視聴判定するチャンネルに対応して設けられ、対応するチャンネルを選局するデジタルチューナから出力されるデジタル音声信号を復号して生成した各データバーストから抽出した基準特徴データと当該データバーストの時刻データとを含む基準データを生成し、前記基準データ蓄積部に送信する基準データ作成部を備えることを特徴とする。
【００３９】
『作用』
デジタルチューナを内蔵するテレビの多くは、デジタルチューナで選局しているチャンネルのデジタル音声信号を外部に出力するデジタル音声出力端子を備えている。このデジタル音声出力端子から取り出されるデジタル音声信号の形式はＩＥＣ（INTERNATIONAL ELECTROTECHNICAL COMMISSION）６０９５８−１に規定されるように２相マーク方式（Biphase-mark）で符号化された信号であり、この信号を復号することによりＩＥＣ６０９５８シリーズに規定されるリニアＰＣＭ音声信号または、ＩＥＣ６１９３７シリーズに規定されるノン・リニアＰＣＭ音声信号を得る。ノン・リニアＰＣＭ音声信号では、ＩＥＣ６１９３７−１に規定されるデータバースト（Data-burst）を生成することができる。データバーストは、４種類のプリアンブル信号とバーストペイロード（Burst-payload）とで構成される。我が国のデジタル放送の場合、バーストペイロードの部分にはノン・リニアＰＣＭ形式の一種であるＭＰＥＧ２−ＡＡＣのデータが記憶される。また、Ｐｃという種類のプリアンブル信号には、音声信号形式（Audio data-types）が記録される。具体的には、ＭＰＥＧ２−ＡＡＣ、ＰＡＵＳＥ、Ｎｕｌｌ  ｄａｔａ  など、リニアＰＣＭに属する信号形式などがプリアンブル信号Ｐｃで示される。
【００４０】
ここで、テレビのデジタルチューナでデジタル放送の或るチャンネルを受信し視聴している場合、そのチャンネルを視聴し続けている限り、音声信号形式は我が国の場合、ＭＰＥＧ２−ＡＡＣを維持する。また、チャンネルの切り替えを行うと、音声信号形式が一時的にＰＡＵＳＥまたは無信号になり、チャンネルの切り替えが完了し、デジタル放送の別のチャンネルを受信する状態になると、音声信号形式が再びＭＰＥＧ２−ＡＡＣに戻る。
【００４１】
従って、視聴者宅に設置されたテレビに接続した端末装置において、テレビのデジタル音声出力端子から出力されるデジタル音声信号から生成したデータバーストのプリアンブルを解析して音声信号形式の切り替わりを検出し、ＰＡＵＳＥまたは無信号など音声信号形式が切り替わった時点から、次に音声信号形式が切り替わるまでの視聴区間を求めれば、その視聴区間が１つの視聴ブロックに正確に一致する。
【００４２】
本発明の端末装置は、このようにして求めた視聴区間内のデータバーストから所定の規則に従ってサンプリングした比較用特徴データと当該視聴区間の開始時刻および終了時刻の少なくとも一方を含む時刻データとを含む視聴ブロックデータを生成し、センタ装置へ送信する。
【００４３】
センタ装置は、端末装置から送信された視聴ブロックデータを比較データ蓄積部に蓄積する。センタ装置には、比較データ蓄積部とは別に、視聴判定するチャンネル毎に、センタ装置側のデジタルチューナから出力される当該チャンネルのデジタル音声信号から生成したデータバーストから抽出した基準特徴データと当該データバーストの時刻データとを含む基準データを蓄積する基準データ蓄積部が備えられている。センタ装置は、比較データ蓄積部に蓄積された視聴ブロックデータ毎に、当該視聴ブロックデータに含まれる比較用特徴データと、基準データ蓄積部に記憶された各チャンネル毎の基準データに含まれる基準特徴データとを比較して視聴チャンネルを判定する。ここで、リアルタイム視聴判定を行う場合、テレビ側のデジタルチューナのデジタル音声信号とセンタ装置側のデジタルチューナのデジタル音声信号との間には、チューナセットの回路遅延、処理遅延および放送波のデコードのタイミング等に起因する時間差が生じるため、同じ時刻のデータバーストの内容どうしを比較するだけでは不十分のため、時間軸上の遅延を考慮した比較を行う。
【発明の効果】
【００４４】
本発明によれば、同一の視聴チャンネルの視聴開始から終了までの視聴区間である視聴ブロックを視聴者宅側の端末装置で正確に検出することができる。その理由は、端末装置が、テレビのデジタル音声出力端子から出力されるデジタル音声信号から生成したデータバーストのプリアンブルを解析して音声信号形式の切り替わりを検出し、音声信号形式が切り替わった時点から次に音声信号形式が切り替わるまでの視聴区間を一つの視聴ブロックとして求めているためである。このように視聴ブロックの検出精度が向上することにより、結果として視聴チャンネルの検出漏れが無くなり、判定精度が向上する。また、視聴者宅の端末装置からセンタ装置へ冗長なデータが送信されないため、センタ装置側の負荷が軽減される。
【００４５】
また本発明によれば、無音に近い状態の放送チャンネルであっても正確に視聴チャンネルを判定することができる。その理由は、再生音声がほとんど現れないか、現れても雑音レベル程度のきわめて弱いレベルになるような無音に近い状態のチャンネルであっても、デジタル音声信号には他のチャンネルのデジタル音声信号と明確に区別できる特徴データが現れており、本発明は特徴データをデジタル的に比較するからである。
【発明を実施するための最良の形態】
【００４６】
図１を参照すると、本発明の実施の形態にかかる視聴チャンネル判定システムは、視聴者宅に設置されたテレビ１に接続された端末装置２と、通信網３を通じて端末装置２と通信可能なセンタ装置４とから構成される。通信網３は、公衆電話回線網、公衆無線回線網、インターネット等の任意の通信網である。
【００４７】
テレビ１は、少なくとも１つの内蔵デジタルチューナを備え、内蔵デジタルチューナで選局されたチャンネルの映像および音声信号をディスプレイおよびスピーカから出力することができると共に、前記選局されたチャンネルのデジタル音声信号を出力するデジタル音声出力端子を備えている。
【００４８】
端末装置２は、テレビ１毎に設けられており、テレビ１のデジタル音声出力端子から出力されるデジタル音声信号から生成したデータバーストのプリアンブルを解析して音声信号形式の切り替わりを検出し、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成し、通信網３を通じてセンタ装置４へ送信する機能を備えている。
【００４９】
センタ装置４は、端末装置２から視聴ブロックデータを受信して蓄積する比較データ蓄積部４１と、視聴判定するチャンネル毎に設けられ、当該チャンネルを選局するデジタルチューナから出力されるデジタル音声信号を復号して生成したデータバーストから抽出した基準特徴データと当該データバーストの時刻データとを含む基準データを生成する基準データ作成部４２と、基準データ作成部４２で作成された基準データを蓄積する基準データ蓄積部４３と、比較データ蓄積部４１に蓄積された各端末装置２の視聴ブロックデータ毎に、当該視聴ブロックデータに含まれる比較用特徴データと、基準データ蓄積部４３に蓄積された各チャンネル毎の基準データに含まれる基準特徴データとを比較して視聴チャンネルを判定する視聴判定処理部４４と、視聴判定処理部４４の判定結果を蓄積する処理結果記憶部４５とを備えている。
【００５０】
次に本実施の形態にかかる視聴チャンネル判定システムの全体の動作を図１および図２を参照して説明する。
【００５１】
各端末装置２は、自装置が接続されたテレビ１のデジタル音声出力端子から出力されるデジタル音声信号を復号してデータバーストを生成し、そのプリアンブルを解析して音声信号形式の切り替わりを検出する（図２のステップＳ１０１）。そして、音声信号形式が切り替わった時点から次に音声信号形式が切り替わるまでの視聴区間毎に、当該視聴区間内のデータバーストから抽出した比較用特徴データと当該視聴区間の時刻データとを含む視聴ブロックデータを生成し、記憶する（ステップＳ１０２）。ステップＳ１０１およびステップＳ１０２の処理は、テレビ１の電源がＯＮされている期間中、常に実行される。そして、予め定められた時刻になる等、送信タイミングが到来すると、それまでに記憶されていた全ての視聴ブロックデータが端末装置２から通信網３を通じてセンタ装置４へ送信される（ステップＳ１０３）。ここで、視聴ブロックデータがどの視聴者宅のどのテレビ１に関するデータであるかを特定する属性データを、各視聴ブロックデータ毎に付与しても良いし、送信データ単位に付与しても良い。
【００５２】
他方、センタ装置４では、各基準データ作成部４２が、視聴判定するチャンネルに選局されたデジタルチューナから出力されるデジタル音声信号からデータバーストを生成し、各データバースト毎にそれから抽出した基準特徴データと当該データバーストの時刻データとを含む基準データを生成し、基準データ蓄積部４３に蓄積する（図２のステップＳ１１１）。このステップＳ１１１の処理は、視聴判定するチャンネルで番組が放送されている期間中、常に続けられる。
【００５３】
またセンタ装置４の比較データ蓄積部４１は、通信網３を通じて端末装置２から視聴ブロックデータを受信すると、それを蓄積する（ステップＳ１１２）。その後、視聴判定処理部４４は、比較データ蓄積部４１に蓄積された視聴ブロックデータ毎に、当該視聴ブロックデータに含まれる比較用特徴データと基準データ蓄積部４３に蓄積された各チャンネルの基準データに含まれる基準特徴データとを比較することにより、視聴ブロックで視聴されていたチャンネルを判定し（ステップＳ１１３）、判定結果を処理結果記憶部４５に記憶する（ステップＳ１１４）。このステップＳ１１３およびステップＳ１１４の処理は、比較データ蓄積部４１に蓄積された全ての視聴ブロックデータについて繰り返される。
【００５４】
次に、端末装置２およびセンタ装置４について詳細に説明する。
【００５５】
図３を参照すると、端末装置２の一例は、復号部２１、信号形式判別部２２、データ抽出部２３、制御部２４、通信部２５、時計２６、テレビＯＮ／ＯＦＦ検知部２７、視聴ブロックデータ記憶部２８および属性データ記憶部２９を含んで構成される。
【００５６】
復号部２１は、光デジタルケーブルや同軸ケーブルなどのデジタル音声信号ケーブル５を通じてテレビ１のデジタル音声出力端子１２からデジタル音声信号を入力し、そのデジタル音声信号からＩＥＣ６０９５８−１に規定されるサブフレーム（Sub-frame）を生成する。ノン・リニアＰＣＭ形式の場合は、更にそのサブフレームからＩＥＣ６１９３７−１に規定されるデータバーストを生成して信号形式判別部２２に出力する。ＩＥＣ６１９３７−１に規定されるデータバーストは、図４（ａ）に示されるように、それぞれ１６ビットのプリアンブルａからプリアンブルｄ（Ｐａ〜Ｐｄ）の４つのプリアンブル信号と、その直後のバーストペイロードとで構成され、我が国のデジタル放送の場合、バーストペイロードの部分にノン・リニアＰＣＭ形式の一種であるＭＰＥＧ２−ＡＡＣのデータが記録される。また、プリアンブル信号Ｐａ、Ｐｂには定数"Ｆ８７２"、"４Ｅ１Ｆ"、プリアンブル信号Ｐｃには音声信号形式情報、プリアンブル信号Ｐｄにはフレーム長がそれぞれ設定される。
【００５７】
信号形式判別部２２は、データバーストのプリアンブル信号Ｐｃを解析して音声信号形式の切り替わりを検出し、音声信号形式が切り替わった時点で視聴ブロックの開始をデータ抽出部２３および制御部２４へ通知し、その後に音声信号形式が切り替わった時点で視聴ブロックの終了を制御部２４へ通知する。また、視聴ブロックの開始から終了までの期間中に復号部２１で生成されたデータバーストをデータ抽出部２３へ伝達する。
【００５８】
データ抽出部２３は、予め定められた規則に従って、データバーストから比較用基準データを抽出して制御部２４へ出力する。
【００５９】
データバーストから比較用基準データを抽出する箇所は、バーストペイロード中であれば任意の箇所でよい。また、フレーム長を示すプリアンブル信号Ｐｄの箇所を抽出箇所に含めても良い。例えば図４（ｂ）の例は、データバーストの先頭から４８ビット目以降の１６ビット（つまりプリアンブル信号Ｐｄ）と１９２ビット目以降の１６ビットとの合計３２ビットを比較用基準データとして抽出している。なお、１つのデータバーストから抽出するビット数、つまり比較用基準データのサイズは３２ビットに限定されず、８ビット、１６ビット等、任意で良い。また、抽出したビット列に所定の演算を施したビット列を比較用基準データとしても良い。例えば、複数の箇所から抽出したそれぞれ８ビットのビット列どうしの排他的論理和をとった８ビットを比較用基準データとしても良い。
【００６０】
比較用基準データを抽出するデータバーストは、信号形式判別部２２から伝達される全てのデータバースト、つまり視聴ブロック中の全データバーストであっても良いが、データ量を削減するために任意の方法で間引いても良い。本実施の形態では、視聴ブロックの開始時点から所定個数Ｋまでは全データバーストからデータを抽出し、それ以降は１／Ｌに間引いて抽出する。Ｋ、Ｌは２以上の正の整数である。例えば、Ｋ＝２００、Ｌ＝５０とすれば、視聴ブロックの開始時点から２００番目までの２００個のデータバーストについては全てのデータバーストから比較用基準データを抽出し、２０１番目以降のデータバーストについては、１／５０に間引いて抽出する。つまり、２５０番目、３００番目、…、というように５０個のデータバーストにつき１個のデータバーストからのみ比較用基準データを抽出する。ＩＥＣ６１９３７−１に規定されるデータバーストは約２０ｍｓ毎に１つ生成されるので、上記の方法によると、視聴ブロックの開始時点から４秒間は全データバーストから比較用基準データを抽出し、その後は１秒毎に現れるデータバーストから比較用基準データを抽出することになる。
【００６１】
テレビＯＮ／ＯＦＦ検知部２７は、ケーブル６によりテレビ１に接続されており、テレビ１のＯＮ／ＯＦＦ状態を検知して制御部２４に通知する。検知方法は、テレビ１の消費電力で検知する方法、テレビ１のインバータ・ファンや高電圧回路からの漏洩ノイズで検知する方法など、任意の方法で良い。
【００６２】
時計２６は、現在時刻を制御部２４に提供する。現在時刻は、例えば、年、月、日、時、分、秒で表現される。
【００６３】
属性データ記憶部２９は、ＲＯＭ等で構成され、テレビ１を特定するための属性データを事前に記憶する。属性データとしては、例えば、地区番号と標本番号とテレビ番号とを使用する。地区番号は、視聴者宅が存在する地区を一意に定める番号、標本番号は当該地区において視聴者宅を一意に定める番号、テレビ番号は当該視聴者宅におけるテレビを一意に定める番号である。
【００６４】
視聴ブロックデータ記憶部２８は、ＲＡＭやハードディスク等で構成され、視聴ブロックデータを記憶する。視聴ブロックデータは、図５に示されるように、地区番号と標本番号とテレビ番号とで構成される属性データ、視聴ブロックの開始時刻データ、データバーストから抽出された比較用特徴データ(1),(2),…,(n)、視聴ブロックの終了時刻データで構成される。
【００６５】
通信部２５は、視聴ブロックデータ記憶部２８に記憶された視聴ブロックデータを通信網３を通じてセンタ装置４の比較データ蓄積部４１へ送信する機能を有する。なお、端末装置２とセンタ装置４との間に視聴データ送信用のオンラインメータなどと呼ばれる中継装置が設けられる場合には、その中継装置へ有線または無線により視聴ブロックデータを送信するようにしても良い。
【００６６】
制御部２４は、視聴ブロックデータの生成および端末装置２全体の制御を司る。制御部２４は、テレビＯＮ／ＯＦＦ検知部２７によりテレビ１の電源がＯＮされたことを検知すると、復号部２１を起動し、ケーブル５を通じてテレビ１の出力端子１２から入力されるデジタル音声信号の復号を開始させる。その後、信号形式判別部２２から視聴ブロックの開始が通知されると、視聴ブロックデータ記憶部２８に新たな１つの視聴ブロックデータのための空き領域を確保し、属性データ記憶部２９から読み出した属性データと時計２６から読み取った現在時刻（開始時刻データとなる）とを空き領域の先頭に書き出す。次に、信号形式判別部２２から視聴ブロックの終了が通知されるまで、データ抽出部２３で抽出された比較用特徴データを抽出順に書き出し、視聴ブロックの終了が通知されたら、その時点の現在時刻（終了時刻データとなる）を書き出して１つの視聴ブロックデータを完成させる。
【００６７】
制御部２４は、テレビＯＮ／ＯＦＦ検知部２７によりテレビ１の電源がＯＦＦされたことを検知すると、復号部２１を停止させる。また制御部２４は、所定の送信タイミングが到来すると、通信部２５を起動し、視聴ブロックデータ記憶部２８に記憶された視聴ブロックデータをセンタ装置４へ送信する。
【００６８】
図６に端末装置２における視聴ブロックデータの作成例を示す。テレビ１のチャンネルが変更されると、切り替え期間中のデータバーストの音声信号形式が一時的にＰＡＵＳＥになり、チャンネル変更が完了すると、ノン・リニアＰＣＭ（ＭＰＥＧ２−ＡＡＣ）の音声信号形式に戻る。この音声信号形式の切り替わりを信号形式判別部２２が検出し、データ抽出部２３と制御部２４に視聴ブロックの開始を通知する。制御部２４は、地区番号と標本番号とテレビ番号とから構成される属性データおよび時計２６から取得した開始時刻データを視聴ブロックデータの先頭に書き出す。データ抽出部２３は、視聴ブロックの開始から２００個までのデータバーストについては、その各々から比較用特徴データを抽出して制御部２４に通知し、２０１番目以降のデータバーストについては５０個に１個の割合でデータバーストから比較用特徴データを抽出して制御部２４に通知する。制御部２４は、データ抽出部２３から通知された比較用特徴データを視聴ブロックデータに順番に書き出す。テレビ１のチャンネルが再び変更されると、データバーストの音声信号形式がＰＡＵＳＥに変わるため、信号形式判別部２２が視聴ブロックの終了と判定し、制御部２４に通知する。制御部２４は、時計２６から読み出した終了時刻データを視聴ブロックデータの末尾に書き出し、一つの視聴ブロックデータを完成させる。このようにして作成されて視聴ブロックデータ記憶部２８に記憶された一連の視聴ブロックデータは、視聴開始時刻順にソートされて、センタ装置４へ送信される。
【００６９】
次にセンタ装置４の詳細を説明する。
【００７０】
図７を参照すると、センタ装置４の基準データ作成部４２は、デジタルチューナ４２１、復号部４２２、データ抽出部４２３、制御部４２４、通信部４２５、時計４２６、基準データ記憶部４２７およびチャンネル情報記憶部４２８を含んで構成される。
【００７１】
デジタルチューナ４２１は、視聴判定するチャンネルのデジタル放送を受信するチューナであり、制御部４２４から指定されたチャンネルを選局し、そのチャンネルのデジタル音声信号を復号部４２２に出力する。
【００７２】
復号部４２２は、デジタルチューナ４２１から入力されたデジタル音声信号からＩＥＣ６０９５８−１に規定されるサブフレームを生成し、更にそのサブフレームからＩＥＣ６１９３７−１に規定されるデータバーストを生成してデータ抽出部４２３に出力する。
【００７３】
データ抽出部４２３は、予め定められた規則に従って、データバーストから基準特徴データを抽出して制御部４２４へ出力する。データバーストから基準特徴データを抽出する箇所、抽出するビット数、抽出したビットに対して演算を施す場合の演算の種類は、端末装置２のデータ抽出部２３がデータバーストから比較用特徴データを抽出する場合と同一である。また、端末装置２のデータ抽出部２３は、比較用特徴データを抽出するデータバーストを間引いているが、基準データ作成部４２のデータ抽出部４２３は、全てのデータバーストから基準特徴データを抽出する。
【００７４】
時計４２６は、現在時刻を制御部４２４に提供する。現在時刻は、端末装置２の時計２６と同じく、例えば、年、月、日、時、分、秒で表現される。
【００７５】
チャンネル情報記憶部４２８は、当該基準データ作成部４２が担当するチャンネルの情報を事前に記憶する。
【００７６】
基準データ記憶部４２７は、ＲＡＭやハードディスク等で構成され、基準データを記憶する。１つの基準データは、図８に示すように、時刻データと基準特徴データの組で構成される。
【００７７】
通信部４２５は、基準データ記憶部４２７に記憶された一連の基準データを基準データ蓄積部４３へ送信する機能を有する。送信は、有線または無線で行う。送信に際しては、チャンネル情報記憶部４２８に記憶されたチャンネル情報を属性データとして付加することで、どのチャンネルの基準データであるかを明確にする。
【００７８】
制御部４２４は、基準データの生成および基準データ作成部４２全体の制御を司る。制御部４２４は、チャンネル情報記憶部４２８に記憶されたチャンネル情報が示すチャンネルをデジタルチューナ４２１に選局させる。その後、復号部４２２がデジタルチューナ４２１から出力されるデジタル音声信号からデータバーストを生成し、復号部４２２がそのデータバーストから基準特徴データを抽出する毎に、その抽出された基準特徴データと時計４２６から読み取った現在時刻とを含む基準データを生成し、基準データ記憶部４２７に記憶する。そして制御部４２４は、所定の送信タイミングが到来すると、通信部４２５を起動し、基準データ記憶部４２７に記憶された一連の基準データにチャンネル情報を付加して基準データ蓄積部４３へ送信する。
【００７９】
図９に基準データ作成部４２における基準データの作成例を示す。視聴判定チャンネルを選局しているデジタルチューナ４２１から出力されるデジタル音声信号から復号部４２２によってデータバーストが生成される毎に、データ抽出部４２３がそのデータバーストから基準特徴データを抽出し、制御部４２４がその時点の時刻データを付加して基準データ記憶部４２７に記憶する。このようにして基準データ記憶部４２７に記憶された一連の基準データは、時刻データ順にソートされて、基準データ蓄積部４３へ送信される。
【００８０】
図１０を参照すると、センタ装置４の基準データ蓄積部４３は、通信部４３１、書き込み部４３２、チャンネル別の記憶部４３３および読み出し部４３４で構成される。
【００８１】
通信部４３１は、基準データ作成部４２から受信した基準データおよびチャンネル情報を書き込み部４３２に伝達する。
【００８２】
書き込み部４３２は、通信部４３１から受け取った基準データを、複数の記憶部４３３のうち、通信部４３１から受け取ったチャンネル情報に対応する記憶部４３３に登録する機能を持つ。
【００８３】
各記憶部４３３は、ハードディスク等で構成され、視聴判定チャンネルの基準データを過去一定期間分蓄積する容量のファイルを記憶する。どの記憶部４３３のファイルがどの視聴判定チャンネルの基準データを記憶しているかは、例えばファイル名の一部にチャンネル情報を付加することで管理される。
【００８４】
読み出し部４３４は、視聴判定処理部４４からの指令に従って、指定された視聴判定チャンネルの基準データを該当する記憶部４３３から読み出して出力する機能を持つ。
【００８５】
図１１を参照すると、センタ装置４の比較データ蓄積部４１は、通信部４１１、書き込み部４１２、テレビ別の記憶部４１３および読み出し部４１４で構成される。
【００８６】
通信部４１１は、端末装置２から受信した視聴ブロックデータを書き込み部４１２に伝達する。
【００８７】
書き込み部４１２は、通信部４１１から受け取った視聴ブロックデータを、複数の記憶部４１３のうち、当該視聴ブロックデータの属性データ（地区番号、標本番号およびテレビ番号）で一意に特定されるテレビ１に対応する記憶部４１３に登録する機能を持つ。
【００８８】
各記憶部４１３は、ハードディスク等で構成され、視聴ブロックデータを一定量蓄積する容量のファイルを記憶する。どの記憶部４１３のファイルが、どの地区番号のどの標本番号のどのテレビ番号のテレビに対応する視聴ブロックデータを記憶しているかは、例えばファイル名に地区番号、標本番号およびテレビ番号を付加することで管理される。
【００８９】
読み出し部４１４は、視聴判定処理部４４からの指令に従って、指定された視聴ブロックデータを該当する記憶部４１３から読み出して出力する機能を持つ。
【００９０】
図１２を参照すると、センタ装置４の視聴判定処理部４４は、視聴ブロックデータ読み出し部４４１、基準データ読み出し部４４２、判定部４４３、記憶部４４４、４４５および書き込み部４４６から構成される。
【００９１】
視聴ブロックデータ読み出し部４４１は、比較データ蓄積部４１から処理対象とする視聴ブロックデータを読み出す機能を持つ。
【００９２】
基準データ読み出し部４４２は、基準データ蓄積部４３から基準データを読み出す機能を持つ。
【００９３】
記憶部４４４は、視聴ブロックデータ読み出し部４４１により読み出された視聴ブロックデータを一時的に記憶し、記憶部４４５は、基準データ読み出し部４４２により読み出された基準データを一時的に記憶するために使用される。
【００９４】
書き込み部４４６は、判定部４４３の処理結果を処理結果記憶部４５に書き込む機能を持つ。
【００９５】
判定部４４３は、比較データ蓄積部４１に蓄積された視聴ブロックデータ毎に、基準データ蓄積部４３に蓄積された基準データと照合して、視聴チャンネルを判定する機能を持つ。１視聴ブロックデータ当たりの判定部４４３の処理例を図１３に示す。
【００９６】
図１３を参照すると、判定部４４３は、視聴ブロックデータ読み出し部４４１を通じて比較データ蓄積部４１から処理対象とする１つの視聴ブロックデータを読み出し、記憶部４４４に記憶する（ステップＳ２０１）。前述したように視聴ブロックデータは、図５に示されるようなデータ構造となっている。
【００９７】
次に判定部４４３は、視聴ブロックデータに記録された開始時刻データを取得し（ステップＳ２０２）、この取得した開始時刻近傍の基準データと照合するリアルタイム視聴判定を実施する（ステップＳ２０３）。そして、リアルタイム視聴判定で視聴チャンネルの特定に成功すれば（ステップＳ２０４でＹＥＳ）、リアルタイム視聴判定結果を当該視聴ブロックデータの属性データに関連付けて、書き込み部４４６を通じて処理結果記憶部４５へ書き込む（ステップＳ２０７）。
【００９８】
他方、リアルタイム視聴判定で視聴チャンネルを特定できなければ（ステップＳ２０４でＮＯ）、録画したテレビ番組を再生して視聴している可能性を探るために、視聴ブロックデータから取得した開始時刻よりも過去の基準データと照合するタイムシフト視聴判定を実施する（ステップＳ２０５）。そして、タイムシフト視聴判定で視聴チャンネルの特定に成功すれば（ステップＳ２０６でＹＥＳ）、タイムシフト視聴判定結果を当該視聴ブロックデータの属性データに関連付けて、書き込み部４４６を通じて処理結果記憶部４５へ書き込む（ステップＳ２０８）。また、タイムシフト視聴判定で視聴チャンネルを特定できなければ（ステップＳ２０６でＮＯ）、「その他の視聴」を判定結果として当該視聴ブロックデータの属性データに関連付けて、書き込み部４４６を通じて処理結果記憶部４５へ書き込む（ステップＳ２０９）。
【００９９】
ステップＳ２０３で実施するリアルタイム視聴判定処理の詳細を図１４に示す。判定部４４３は、まず視聴判定チャンネルの１つに注目し（ステップＳ３０１）、基準データ読み出し部４４２を通じて基準データ蓄積部４３から注目中の視聴判定チャンネルの基準データを読み出して記憶部４４５に記憶する（ステップＳ３０２）。次に判定部４４３は、視聴ブロックデータ中の全抽出比較データ列（間引きせずに各データバーストから抽出された比較用特徴データ列）に一致する基準データ列を、双方の時間軸上の遅延を考慮して検索する（ステップＳ３０３）。具体的には、テレビ１のデジタルチューナ１１のデジタル音声信号と基準データ作成部４２のデジタルチューナ４２１のデジタル音声信号との間に、チューナセットの回路遅延、処理遅延および放送波のデコードのタイミング等に起因する時間差が最大ΔＴだけ生じ得る場合、図１５に示すように、（視聴ブロックの開始時刻(ts)−ΔＴ）に一致する時刻データを持つ基準データから（視聴ブロックの開始時刻(ts)＋ΔＴ）に一致する時刻データを持つ基準データまでの範囲に存在する各基準データを先頭とする全ての基準データ列と全抽出比較データ列とを比較する。
【０１００】
判定部４４３は、視聴ブロックデータ中の全抽出比較データ列に一致する基準データ列の検索に成功した場合（ステップＳ３０４でＹＥＳ）、視聴ブロック中の間引き比較データ列（間引きしたデータバーストから抽出された比較用特徴データ列）が基準データに一致するかどうかを検査する（ステップＳ３０５）。具体的には、間引き比較データ列の先頭の比較用特徴データから最後の比較用特徴データまで順に、該当箇所の基準データと比較する。例えば、図１５において、全抽出比較データ列である比較用特徴データ(1)〜(200)が時刻データt11を持つ基準特徴データを先頭とする基準特徴データ列に一致していることがステップＳ３０３の検索で見つかった場合、時刻データt11を１番目として、後に続く２５０番目、３００番目、…の基準特徴データが、視聴ブロック中の比較用特徴データ(250)、比較用特徴データ(300)、…と一致するかどうかを確かめる。
【０１０１】
判定部４４３は、視聴ブロック中の間引き比較データ列が基準データに一致した場合（ステップＳ３０６でＹＥＳ）、注目中の視聴判定チャンネルを視聴中チャンネルとし、視聴ブロックデータ中の開始時刻データと終了時刻データとを付加した判定結果を生成する（ステップＳ３０７）。
【０１０２】
他方、視聴ブロックデータ中の全抽出比較データ列に一致する基準データ列の検索に失敗した場合（ステップＳ３０４でＮＯ）、およびその検索に成功した場合でも視聴ブロック中の間引き比較データ列が基準データに一致しなかった場合（ステップＳ３０６でＮＯ）、判定部４４３は、次の１つの視聴判定チャンネルに注目を移し（ステップＳ３０８）、ステップＳ３０２に戻って上述した処理と同様の処理を繰り返す。そして、全ての視聴判定チャンネルに注目してもなお視聴チャンネルが特定できなければ（ステップＳ３０９でＹＥＳ）、視聴チャンネルが特定できない旨の判定結果を生成する（ステップＳ３１０）。
【０１０３】
図１３のステップＳ２０５で実施するタイムシフト視聴判定処理は、図１４に示したリアルタイム視聴判定処理とほぼ同様に行われる。ただし、視聴ブロックデータ中の全抽出比較データ列に一致する基準データ列を検索するステップＳ３０３では、視聴ブロックの開始時刻近傍の基準データとの照合でなく、（視聴ブロックの開始時刻−ΔＴ）より過去の時刻データを持つ基準データと照合される。
【０１０４】
次に本実施の形態の効果を説明する。
【０１０５】
本実施の形態によれば、同一の視聴チャンネルの視聴開始から終了までの視聴区間である視聴ブロックを視聴者宅側の端末装置２で正確に検出することができる。この結果、視聴チャンネルの検出漏れが無くなり、判定精度が向上すると同時に、端末装置２からセンタ装置４へ冗長なデータが送信されるのを防止でき、センタ装置４側の負荷を軽減することができる。
【０１０６】
また本実施の形態によれば、デジタル音声信号をデジタル的に比較するため、無音に近い状態の視聴チャンネルであっても正確に視聴チャンネルを判定することができる。
【０１０７】
また本実施の形態によれば、視聴ブロックの先頭部分では全てのデータバーストから比較用特徴データを抽出するが、後半部分については比較用特徴データを抽出するデータバーストを間引いているため、１データバースト当たりの比較用特徴データ量を８ビット、１６ビット等に抑えていることと相まって、視聴ブロックの開始から終了までの全範囲を隈なく網羅する視聴ブロックデータでありながら全体としてのデータ量を少なく抑えることができる。例えば、１日のチャンネル切り替え数を５０回、１日のテレビ稼動分数を７２０分、属性データ（地区番号、標本番号、テレビ番号、開始時刻、終了時刻など）のサイズを２４バイト、１データバーストから抽出する比較用特徴データのサイズを８バイトとすると、テレビ１台あたりの１日の視聴ブロックデータのサイズ合計は、４２５，２００バイトに収まる。このデータ量は、特許文献２および特許文献３におけるようにアナログの音声および画像を比較用データとして抽出する場合に比べて格段に少なくなる。この結果、端末装置２からセンタ装置４への通信データ量の低下による通信コストの削減と、端末装置２の視聴ブロックデータ記憶部２８の容量の小型化による設備コストの削減が可能となる。
【０１０８】
以上、本発明の実施の形態について説明したが、本発明は以上の実施の形態にのみ限定されず、その他各種の付加変更が可能である。例えば、以下のように構成することもできる。
【０１０９】
調査対象のテレビとして、デジタルチューナ１１を１つ内蔵するテレビ１を例に挙げたが、内蔵デジタルチューナの個数はこれに限定されず、地上デジタルチューナとＢＳデジタルチューナなど複数のデジタルチューナを内蔵するテレビも調査対象とすることができる。また、ＳＴＢ（セットトップボックス）を用いてデジタル放送を受信しているテレビも調査対象にすることができる。
【０１１０】
端末装置２に、視聴している個人の情報を入力する個人識別信号送信機などの機器とのインタフェースを設け、入力された個人識別情報を時刻情報と共にセンタ装置４へ送信することで、個人視聴率調査を行うことが可能である。
【図面の簡単な説明】
【０１１１】
【図１】本発明の実施の形態にかかる視聴チャンネル判定システムのブロック図である。
【図２】本発明の実施の形態にかかる視聴チャンネル判定システムの概略動作を示すフローチャートである。
【図３】本発明の実施の形態にかかる端末装置のブロック図である。
【図４】データバーストのフォーマットと比較用データの抽出例を示す図である。
【図５】視聴ブロックデータの構造例を示す図である。
【図６】視聴ブロックデータの生成方法の説明図である。
【図７】本発明の実施の形態にかかるセンタ装置の基準データ作成部のブロック図である。
【図８】基準データの構造例を示す図である。
【図９】基準データの生成方法の説明図である。
【図１０】本発明の実施の形態にかかるセンタ装置の基準データ蓄積部のブロック図である。
【図１１】本発明の実施の形態にかかるセンタ装置の比較データ蓄積部のブロック図である。
【図１２】本発明の実施の形態にかかるセンタ装置の視聴判定処理部のブロック図である。
【図１３】本発明の実施の形態にかかるセンタ装置の視聴判定処理部における判定部の処理例を示すフローチャートである。
【図１４】本発明の実施の形態にかかるセンタ装置の視聴判定処理部における判定部で実施されるリアルタイム判定処理の一例のフローチャートである。
【図１５】リアルタイム判定処理の説明図である。
【符号の説明】
【０１１２】
１…テレビ
２…端末装置
３…通信網
４…センタ装置
５…デジタル音声信号ケーブル
６…ケーブル
１１…デジタルチューナ
１２…出力端子
２１…復号部
２２…信号形式判別部
２３…データ抽出部
２４…制御部
２５…通信部
２６…時計
２７…テレビＯＮ／ＯＦＦ検知部
２８…視聴ブロックデータ記憶部
２９…属性データ記憶部
４１…比較データ蓄積部
４２…基準データ作成部
４３…基準データ蓄積部
４４…視聴判定処理部
４５…処理結果記憶部
【図１】
2008085767.tif 000003
【図２】
2008085767.tif 000004
【図３】
2008085767.tif 000005
【図４】
2008085767.tif 000006
【図５】
2008085767.tif 000007
【図６】
2008085767.tif 000008
【図７】
2008085767.tif 000009
【図８】
2008085767.tif 000010
【図９】
2008085767.tif 000011
【図１０】
2008085767.tif 000012
【図１１】
2008085767.tif 000013
【図１２】
2008085767.tif 000014
【図１３】
2008085767.tif 000015
【図１４】
2008085767.tif 000016
【図１５】
2008085767.tif 000017